(57)【要約】【課題】本発明は風呂などに使用されるガス給湯器のブレーカ装置に関し、落雷時などの復帰を簡便にかつ一般ユーザにも確実に操作しうるように補助するようにすることを目的とする。【解決手段】雷サージにより一対の給電線３２Ａ，　３２Ｂに生じた漏洩電流は変流器３６により取り出され、負荷抵抗Ｒの両端に漏洩電流に応じた電位差が現れ、サージ検出回路３８は所定値を超える電位差があったとき雷サージと認識し、ソレノイド４６によってブレーカ接点４４Ａ，　４４Ｂがオフとなり、給湯器の電装基板２２は給電線３２Ａ，　３２Ｂから遮断される。雷サージによるブレーカの作動は給湯器筐体若しくはリモコンのランプ若しくはＬＥＤ５０に表示される。ランプ５０と一体のリセットスイッチ５２の操作によりリセットされ、ブレーカ接点４４Ａ，　４４Ｂがオンとなり、給湯器の電装基板２２はＡＣ電源から給電を受けることができる。【選択図】　図３
2004069097.tif 000002
【特許請求の範囲】
【請求項１】
ガス給湯器の電装装置における電源回路に生ずるサージ検出手段と、サージ検出時に電源回路を遮断するブレーカ手段と、ガス給湯器の筐体若しくは操作パネルに設けられ、ブレーカ遮断時にブレーカの遮断状態を表示するべく作動する手段とを具備したことを特徴とするガス給湯器のブレーカ装置。
【請求項２】
ガス給湯器の電装装置における電源回路に生ずるサージ検出手段と、サージ検出時に電源回路を遮断するブレーカ手段と、ガス給湯器の筐体若しくは操作パネルに設けられ、ブレーカ遮断時にブレーカの遮断状態を表示するべく作動する手段と、表示手段の作動時に連動して、手動操作されることによりブレーカの遮断解除を行い、電源回路への通電を回復せしめる手段とを具備したことを特徴とするガス給湯器のブレーカ装置。
【請求項３】
ガス給湯器の電装装置における電源回路に生ずるサージ検出手段と、サージ検出時に電源回路を遮断するブレーカ手段と、ガス給湯器の筐体若しくは操作パネルに設けられ、ブレーカ遮断時にブレーカの遮断状態を表示するべく点灯する手段と、前記点灯手段に組み込まれ、点灯時に手動操作され、ブレーカの遮断解除を行い、電源回路への通電を回復せしめるスイッチ手段とを具備したことを特徴とするガス給湯器のブレーカ装置。
【発明の詳細な説明】
【０００１】
【発明の属する技術分野】
この発明は風呂などに使用されるガス給湯器のブレーカ装置に関するものである。
【０００２】
【従来の技術】
ガス給湯器においては落雷時などのサージに対して電装基板を保護するためのブレーカが電源と電装基板との間に配置される。ブレーカとしてノーヒューズ方式を採用することも多い。ノーヒューズ方式のブレーカの場合はリセットボタンの操作により復帰操作が可能であり、リセットボタンは通常はガス給湯器の筐体内部に設置されることが多い。
【０００３】
【発明が解決しようとする課題】
ノーヒューズ方式のブレーカの場合は復帰操作が簡単であり、本来復帰操作はユーザも含めて誰でも簡単に行いうるものであるが、従来は給湯器の筐体に設置しているため、通常ユーザによる復帰操作は実質的に不可能であり、サービスマンを呼ぶ必要があった。そのため、落雷の時間によってはその日のうちにサービスマンが間に合わず、入浴できないといった不便をユーザに強いることになっていた。また、落雷があるとその地域の大量のユーザからサービス需要が一斉に生ずるため、迅速なサービス提供に対するネックとなっていた。
【０００４】
この発明は以上の問題点に鑑みてなされたものであり、ノーヒューズタイプのブレーカを備えた給湯器において、落雷時などの復帰を簡便にかつ一般ユーザにも確実に操作しうるように補助するようにすることを目的とする。
【０００５】
【課題を解決するための手段】
請求項１に記載の発明によれば、ガス給湯器の電装装置における電源回路に生ずるサージ検出手段と、サージ検出時に電源回路を遮断するブレーカ手段と、ガス給湯器の筐体若しくは操作パネルに設けられ、ブレーカ遮断時にブレーカの遮断状態を表示するべく作動する手段とを具備したことを特徴とするガス給湯器のブレーカ装置が提供される。
【０００６】
請求項１の発明の作用・効果を説明すると、サージ検出時にブレーカが遮断状態となるとこれを表す点灯などの表示がガス給湯器の操作パネルにされるため、ユーザに落雷による遮断であることを知らしめ、雷の収束時に必要なアクションを取るように促すことができる。
【０００７】
請求項２に記載の発明によれば、ガス給湯器の電装装置における電源回路に生ずるサージ検出手段と、サージ検出時に電源回路を遮断するブレーカ手段と、ガス給湯器の筐体若しくは操作パネルに設けられ、ブレーカ遮断時にブレーカの遮断状態を表示するべく作動する手段と、表示手段の作動時に連動して、手動操作されることによりブレーカの遮断解除を行い、電源回路への通電を回復せしめる手段とを具備したことを特徴とするガス給湯器のブレーカ装置が提供される。
【０００８】
請求項２の発明の作用・効果を説明すると、サージによる遮断時にこれを表示する手段に連動してユーザに復帰動作を促し、復帰動作を行わせているため、ユーザはサービスマンを待つ必要がなく誰でも簡単に復帰操作を即座に行うことができる。
【０００９】
請求項３に記載の発明によれば、ガス給湯器の電装装置における電源回路に生ずるサージ検出手段と、サージ検出時に電源回路を遮断するブレーカ手段と、ガス給湯器の筐体若しくは操作パネルに設けられ、ブレーカ遮断時にブレーカの遮断状態を表示するべく点灯する手段と、前記点灯手段に組み込まれ、点灯時に手動操作され、ブレーカの遮断解除を行い、電源回路への通電を回復せしめるスイッチ手段とを具備したことを特徴とするガス給湯器のブレーカ装置が提供される。
【００１０】
請求項３の発明の作用・効果を説明すると、サージ発生時に点灯により遮断状態を簡易・確実にユーザに知らしめ、かつ復帰操作用のスイッチが点灯手段に組み込まれているため、ブレーカが戸外の暗所の設置であっても簡単かつ確実な復帰動作を誰であっても簡単に行うことができる。
【００１１】
【発明の実施の形態】
図１において、１０はガス給湯器であり、この実施形態ではガス給湯器１０は戸外設置タイプであり、内部に周知のようにバーナ及び熱交換器などを備えており、給湯口からの配管１２が浴室１４に導かれるようになっている。１６は蛇口、１８は浴槽となっている。
【００１２】
ガス給湯器１０の筐体２０の内部に電装基板２２が配置され、電装基板２２はマイクロコンピュータを備え、ガスの導入制御用の図示しない周知の各種のアクチュエータの制御を行う。このようなアクチュエータとしては電磁弁、ガス着火用の点火装置（イグナイタ）、バーナへの空気流を惹起するブロアの駆動モータ、ガス流の制御若しくは切替用電磁弁、給水の制御用電磁弁などである。周知のように電装基板には、ガス給湯器の動作状態を表す各種のセンサからの信号が入力されており、また、マイクロコンピュータはプログラムに従ってガス給湯器の動作制御を行うように仕組まれている。そして、この実施形態ではそれ自体は周知の遠隔操作型の操作パネル２４が設けられ、操作パネル２４は浴室１４の壁面又は脱衣室などの浴室に隣接した壁面に設けられ、ボタン操作によって給湯器の温度調節を可能とするタイプのものである。遠隔操作型の操作パネル２４は図２に示すように液晶表示パネル２６を備え、温度上昇ボタン２８Ａ，　温度下降ボタン２８Ｂの操作により所望の温度への調節を行うことができるようにされたものである。また、３０は電源スイッチを示している。
【００１３】
図３はこの発明の実施形態における落雷時などのサージ発生時の電源と電装基板とを遮断・復帰せしめる構成の一例を概略的に示すものである。一般家庭用の１００ボルトのＡＣ電源は一対の給電線３２Ａ，　３２Ｂによって電装基板に２２に接続される。各給電線３２Ａ，　３２Ｂはアレスタ３４Ａ，　３４Ｂを介して接地される。アレスタ３４Ａ，　３４Ｂ　は使用電圧（即ちＡＣ１００ボルト）より少し高い動作開始電圧に設定され、動作開始電圧を超えたサージを吸収するように動作する。一対の給電線３２Ａ，　３２Ｂをループするように変流器３６が設けられ、変流器３６の出力端に負荷抵抗３８が接続される。サージにより給電線３２Ａ，　３２Ｂ間で電流が不平衡となり、抵抗３８の両端に電位差となって表される。サージ検出回路３８は所定値以上の不平衡電流があったときサージとして検出することができる。４０はブレーカコントローラであり、充電式などの電池４２を介してＡＣ電源に接続される。
【００１４】
ブレーカ４４は給電線３２Ａ，　３２Ｂに挿入された一対の接点４４Ａ，　４４Ｂを備えており、接点４４Ａ，　４４Ｂは電磁式などのブレーカ駆動機構４６に機械的に連結される。接点４４Ａ，　４４Ｂはブレーカ駆動機構４６が非動作の状態ではオンとなっており、給湯器の電装基板２２への給電を行うことができ、サージ発生時はオフとなり電装基板２２を遮断すようにされる。ブレーカ復帰機構４８は接点４４Ａ，　４４Ｂに機械的に連結され、サージからの復帰動作時に接点４４Ａ，　４４Ｂをオフからオンに戻すように機能する。
【００１５】
ブレーカコントローラ４０はサージによる遮断の表示ランプ又はＬＥＤ５０に接続され、この実施形態では給湯器１０の筐体２０に設けられる。表示ランプ５０は例えば押しボタン式の又はタッチ式のリセットスイッチ５２を内蔵しており、表示ランプ５０は通常消灯されているが、サージによるブレーカ４４の動作時は点灯され、リセットスイッチ５２を押すことにより動作を復帰させた後は表示ランプ５０は消灯される。必要あれば、表示ランプ５０及びタッチ式などのリセットスイッチ５２を図２の破線のように室内の遠隔操作パネル２４に設置するような構成も可能である。
【００１６】
以上説明したブレーカ装置の動作を説明すると、落雷などによりサージのない通常状態においては変流器３６の両端には電位差は生ぜず、ブレーカコントローラ４０はブレーカ駆動機構４６をオフとし、ブレーカ接点４４Ａ，　４４Ｂはオンとなり、電装基板２２に給電され、給湯器は通常動作する。そして、ブレーカコントローラ４０は表示ランプ５０を消灯し、表示ランプ５０に内蔵されたリセットスイッチ５２はオフであり、ブレーカ復帰ソレノイド４８は非動作状態を維持する。
【００１７】
落雷によるサージによっていずれかのアレスタ３４Ａ，　３４Ｂに電流が流れ、これによって惹起された不平衡電流に基づいて変流器３６の両端に所定の電位差が生ずると、サージ検出回路３８はサージの発生と検出し、コントローラはブレーカ駆動機構４６をオンとし、ブレーカ接点４４Ａ，　４４Ｂはオンからオフとなり（図４（イ）参照）、電装基板２２への給電が停止され、給湯器をサージにより生じ得るダメージから保護する。そして、電池駆動のコントローラ４０によりランプ５０は点灯する（図４の（ロ）参照）。また、サージコントローラ４０はランプ又はＬＥＤ５０（図２に示すように遠隔操作パネル上に設けることができる）を点灯せしめ、これによりユーザは復帰動作の必要を促され、ランプ又はＬＥＤ５０の押しボタン式の操作又はタッチ操作によりスイッチ５２はオンとされ、復帰ソレノイド（リセット用ソレノイド４８）は通電されるため（図４の（ハ）参照）、復帰ソレノイド４８に機械的に連結されたブレーカスイッチ４４の接点４４Ａ，　４４Ｂはオン状態に復帰され、給電線３２Ａ，　３２Ｂが電装基板２２に導通されるため、給湯器の作動復帰を行わせることができる。
【図面の簡単な説明】
【図１】図１は浴室への給湯システムの全体概略図である。
【図２】図２は給湯器の制御パネルの概略的平面図である。
【図３】図３はこの発明のサージ検出装置の概略構成図ある。
【図４】図４は図３の装置の概略的作動ダイアグラムある。
【符号の説明】
１０…ガス給湯器
１２…給湯配管
１４…浴室
２０…ガス給湯器筐体
２２…電装基板
２４…操作パネル
３２Ａ，　３２Ｂ…給電線
３４Ａ，　３４Ｂ　…アレスタ
３６…変流器
３８…サージ検出回路
４０…ブレーカコントローラ
４４…ブレーカ
４４Ａ，　４４Ｂ…ブレーカ接点
４６…ブレーカ駆動機構
４８…ブレーカ復帰機構
５０…表示ランプ又はＬＥＤ
５２…リセットスイッチ
【図１】
2004069097.tif 000003
【図２】
2004069097.tif 000004
【図３】
2004069097.tif 000005
【図４】
2004069097.tif 000006